(57)【要約】【課題】太陽光発電装置の設置場所に応じた太陽光発電装置の構成を短時間で、簡単に提供する。【解決手段】自装置の外部から入力された太陽光発電装置の設置条件を示す情報に基づいて、該太陽光発電装置の構成を決定する構成決定部１１０を備える。【選択図】図３
2014160687.tif 000002
【特許請求の範囲】
【請求項１】
自装置の外部から入力された太陽光発電装置の設置条件を示す情報に基づいて、該太陽光発電装置の構成を決定する構成決定部を備えることを特徴とする太陽光発電装置構成抽出装置。
【請求項２】
前記構成決定部は、
場所を示す情報と該場所における日射量を示す情報とが関連付けられて記憶されている日射量記憶部と、
前記入力された設置条件を示す情報の一つが設置場所を示す情報であり、
前記設置場所から所定の距離範囲内にある地点の日射量を示す情報を前記日射量記憶部から読み出す日射量読出部と、
前記太陽の位置を示す情報が、前記場所を示す情報と日時を示す情報とに関連付けられて記憶されている太陽位置記憶部と、
前記設置場所における各日時における太陽の位置を示す情報を前記太陽位置記憶部から読み出し、該読み出した太陽の位置を示す情報と、前記読み出された日射量を示す情報とに基づいて、前記太陽光発電装置の構成を算出する構成算出部と、
を備えることを特徴とする請求項１に記載の太陽光発電装置構成抽出装置。
【請求項３】
前記構成算出部は、
前記構成を変更する毎に、前記太陽の位置を示す情報と前記読み出された日射量を示す情報とに基づいて、前記太陽光発電装置の発電量を算出する発電量算出部と、
前記算出された発電量が所定の閾値を超える構成を抽出する構成抽出部と、
を備えることを特徴とする請求項２に記載の太陽光発電装置構成抽出装置。
【請求項４】
前記構成を示す情報と前記太陽光発電装置の発電量を変化させる係数を示す情報とが関連付けられて記憶されている構成記憶部を備え、
前記発電量算出部は、前記構成を変更する毎に、前記構成を示す情報に関連付けられた前記係数を示す情報を前記構成記憶部から読み出し、該読み出した係数を示す情報と、前記太陽の位置を示す情報と、前記日射量を示す情報とに基づいて、前記太陽光発電装置の発電量を算出することを特徴とする請求項３に記載の太陽光発電装置構成抽出装置。
【請求項５】
前記構成記憶部に記憶されている前記構成を示す情報の一つは、前記太陽光発電装置が備える形状集光板と蛍光集光板の積層順を示す情報であり、
前記発電量算出部は、前記積層順を変更する毎に、前記積層順を示す情報に関連付けられた前記係数を示す情報を前記構成記憶部から読み出し、該読み出した係数を示す情報と、前記太陽の位置を示す情報と、前記日射量を示す情報とに基づいて、前記太陽光発電装置の発電量を算出することを特徴とする請求項４に記載の太陽光発電装置構成抽出装置。
【請求項６】
前記構成記憶部に記憶されている前記構成を示す情報の一つは、前記太陽光発電装置が備える形状集光板の形状を示す情報であり、
前記発電量算出部は、前記形状集光板の形状を変更する毎に、前記形状集光板の形状を示す情報に関連付けられた前記係数を示す情報を前記構成記憶部から読み出し、該読み出した係数を示す情報と、前記太陽の位置を示す情報と、前記日射量を示す情報とに基づいて、前記太陽光発電装置の発電量を算出することを特徴とする請求項４または請求項５に記載の太陽光発電装置構成抽出装置。
【請求項７】
前記構成記憶部に記憶されている前記構成を示す情報の一つは、前記太陽光発電装置の地面に対する設置仰角を示す情報であり、
前記発電量算出部は、前記設置仰角を変更する毎に、前記設置仰角を示す情報に関連付けられた前記係数を示す情報を前記構成記憶部から読み出し、該読み出した係数を示す情報と、前記太陽の位置を示す情報と、前記日射量を示す情報とに基づいて、前記太陽光発電装置の発電量を算出することを特徴とする請求項４から請求項６のいずれか１項に記載の太陽光発電装置構成抽出装置。
【請求項８】
前記構成記憶部に記憶されている前記構成を示す情報の一つは、前記太陽電池の種類を示す情報であり、
前記発電量算出部は、前記太陽電池の種類を変更する毎に、前記太陽電池の種類を示す情報に関連付けられた前記係数を示す情報を前記構成記憶部から読み出し、該読み出した係数を示す情報と、前記太陽の位置を示す情報と、前記日射量を示す情報とに基づいて、前記太陽光発電装置の発電量を算出することを特徴とする請求項４から請求項７のいずれか１項に記載の太陽光発電装置構成抽出装置。
【請求項９】
前記構成記憶部に記憶されている前記構成を示す情報の一つは、前記形状集光板または前記蛍光集光板の法線が太陽の方向になるように太陽発電装置の向きを変更する太陽追尾の有無を示す情報であり、
前記発電量算出部は、前記太陽追尾の有無を変更する毎に、前記太陽追尾の有無を示す情報に関連付けられた前記係数を示す情報を前記構成記憶部から読み出し、該読み出した係数を示す情報と、前記太陽の位置を示す情報と、前記日射量を示す情報とに基づいて、前記太陽光発電装置の発電量を算出することを特徴とする請求項４から請求項８のいずれか１項に記載の太陽光発電装置構成抽出装置。
【請求項１０】
設置条件を示す情報と該設置条件を識別する設置条件識別情報とが関連付けられて記憶されている設置条件記憶部と、
前記入力された設置条件を示す情報を基準として所定の要件を満たす設置条件に関連付けられた設置条件識別情報を前記設置条件記憶部から抽出する設置条件抽出部と、
前記設置条件識別情報と前記太陽光発電装置の構成を示す情報とが関連付けられて記憶されている第２の構成記憶部と、
前記設置条件抽出部により設置条件識別情報が抽出された場合、前記抽出された設置条件識別情報に対応する前記太陽光発電装置の構成を示す情報を前記第２の構成記憶部から読み出す構成読出部と、
を備えることを特徴とする請求項１から請求項９のいずれか１項に記載に太陽光発電装置構成抽出装置。
【請求項１１】
前記構成決定部は、前記設置条件抽出部により設置条件識別情報が抽出されなかった場合、前記入力された設置条件を示す情報に基づいて、前記太陽光発電装置の構成を決定することを特徴とする請求項１０に記載に太陽光発電装置構成抽出装置。
【請求項１２】
前記太陽光発電装置の構成を示す情報と該構成時の価格を示す情報とが関連付けられて記憶されている価格記憶部と、
前記構成決定部により決定された前記太陽光発電装置の構成に対応する価格を示す情報を前記価格記憶部から読み出す価格読出部と、
を備えることを特徴とする請求項１から請求項１１のいずれか１項に記載の太陽光発電装置構成抽出装置。
【請求項１３】
前記構成決定部は、
太陽光発電装置の設置条件を示す情報と太陽光発電装置の構成を示す情報とが関連付けられて記憶されている構成記憶部と、
前記入力された設置条件を示す情報を基準として所定の要件を満たす前記設置条件の情報に関連付けられた太陽光発電装置の構成を示す情報を前記構成記憶部から読み出す構成読出部と、
を備えることを特徴とする請求項１に記載の太陽光発電装置構成抽出装置。
【請求項１４】
前記構成記憶部には更に発電効率を示す情報が太陽光発電装置の構成を示す情報と関連付けられており、
前記構成読出部は、前記読み出される太陽光発電装置の構成を示す情報に対応する発電効率を示す情報を前記構成記憶部から読み出すことを特徴とする請求項１３に記載の太陽光発電装置構成抽出装置。
【請求項１５】
前記構成記憶部には更に太陽光発電装置の構成を示す情報と該構成をとるときの価格を示す情報が関連付けられており、
前記構成読出部は、前記読み出される太陽光発電装置の構成を示す情報に対応する価格を示す情報を前記構成記憶部から読み出すことを特徴とする請求項１３または請求項１４に記載の太陽光発電装置構成抽出装置。
【請求項１６】
前記構成記憶部は、自装置の外部から入力された設置条件の情報と、太陽光発電装置の構成を示す情報、発電変換効率を示す情報または価格を示す情報のうち少なくとも１つとが追加保存されていくことを特徴とする請求項１３から請求項１５のいずれか１項に記載の太陽光発電装置構成抽出装置。
【請求項１７】
自装置の外部から入力された太陽光発電装置の設置条件を示す情報に基づいて、該太陽光発電装置の構成を決定する構成決定手順を有することを特徴とする太陽光発電装置構成抽出方法。
【請求項１８】
コンピュータに、
自装置の外部から入力された太陽光発電装置の設置条件を示す情報に基づいて、該太陽光発電装置の構成を決定する構成決定ステップを実行させるための太陽光発電装置構成抽出プログラム。
【請求項１９】
端末装置と太陽光発電装置構成抽出装置とを備え、
前記太陽光発電装置構成抽出装置は、前記端末装置から入力された太陽光発電装置の設置条件を示す情報に基づいて、該太陽光発電装置の構成を決定する構成決定部を備えることを特徴とする太陽光発電装置構成判断システム。
【請求項２０】
前記端末装置と前記太陽光発電構成抽出装置は通信網を介して接続されていることを特徴とする請求項１９に記載の太陽光発電装置構成判断システム。
【請求項２１】
前記構成決定部は、設置条件を示す情報と該設置条件を識別する設置条件識別情報とが関連付けられて記憶されている設置条件記憶部と、
前記入力された設置条件を示す情報を基準として所定の要件を満たす設置条件に関連付けられた設置条件識別情報を前記設置条件記憶部から抽出する設置条件抽出部と、
前記設置条件識別情報と前記太陽光発電装置の構成を示す情報とが関連付けられて記憶されている第２の構成記憶部と、
前記設置条件抽出部により設置条件識別情報が抽出された場合、前記抽出された設置条件識別情報に対応する前記太陽光発電装置の構成を示す情報を前記第２の構成記憶部から読み出す構成読出部と、
を備えることを特徴とする請求項１９または請求項２０に記載の太陽光発電装置構成判断システム。
【請求項２２】
前記構成決定部は、太陽光発電装置の設置条件を示す情報と太陽光発電装置の構成を示す情報とが関連付けられて記憶されている構成記憶部を備え、前記構成決定部による構成の決定は、前記入力された太陽光発電装置の設置条件を示す情報に対応する最適な構成を示す情報を前記構成記憶部から読み出すことにより行われることを特徴とする請求項１９または請求項２０に記載の太陽光発電装置構成判断システム。
【発明の詳細な説明】
【技術分野】
【０００１】
本発明は、太陽光発電装置構成抽出装置、太陽光発電装置構成抽出方法および太陽光発電装置構成抽出プログラムおよび太陽光発電装置構成判断システムに関する。
【背景技術】
【０００２】
一般的に、太陽光発電装置は、複数のモジュールから構成されている。従来、太陽電池モジュールの配置設計を支援する装置が知られている。
例えば、特許文献１には、太陽電池モジュールの配置設計支援装置における算出手段が、設置面ごとに当該設置面に配置される太陽電池モジュールについて、とりうる系統の数および各系統に割り付ける太陽電池モジュールの種類とその数からなる系統分解候補を求め、各設置面の系統分解候補の組合せを算出する。そして、算出手段が、算出された系統分解候補の組合せのそれぞれについて、最も電力変換効率の高くかつ安価なパワーコンディショナの組合せを選択する。
【０００３】
そして、割り付け手段が、系統分解候補の組合せのそれぞれについて、設置面上の各太陽電池モジュールをいずれかの系統に属させるモジュールの系統への割り付けを行って複数の系統別モジュール割り付け情報を求め、その中から最善の系統別モジュール割り付け情報を選択することが示されている。
【先行技術文献】
【特許文献】
【０００４】
【特許文献１】特開２００４−１６４３２５号公報
【発明の概要】
【発明が解決しようとする課題】
【０００５】
一方、設置場所（緯度、経度）が異なると、太陽光の入射条件が異なる。それゆえ、太陽光発電装置において、設置場所が異なれば、発電効率の良い構成が異なることになる。しかし、太陽光発電装置を設置する毎に、マニュアルで設置場所に応じた最適な太陽光発電装置の構成を抽出することは困難であり時間がかかるという問題があった。
【０００６】
そこで本発明は、太陽光発電装置の設置場所に応じた太陽光発電装置の構成を短時間で、簡単に提供することを可能とする技術を提供することを課題とする。
【課題を解決するための手段】
【０００７】
（１）本発明の一態様である太陽光発電装置構成抽出装置は前記事情に鑑みなされたもので、自装置の外部から入力された太陽光発電装置の設置条件を示す情報に基づいて、該太陽光発電装置の構成を決定する構成決定部を備えることを特徴とする。
【０００８】
（２）（１）に記載の太陽光発電装置構成抽出装置において、前記構成決定部は、
場所を示す情報と該場所における日射量を示す情報とが関連付けられて記憶されている日射量記憶部と、
前記入力された設置条件を示す情報の一つが設置場所を示す情報であり、
前記設置場所から所定の距離範囲内にある地点の日射量を示す情報を前記日射量記憶部から読み出す日射量読出部と、
前記太陽の位置を示す情報が、前記場所を示す情報と日時を示す情報とに関連付けられて記憶されている太陽位置記憶部と、前記設置場所における各日時における太陽の位置を示す情報を前記太陽位置記憶部から読み出し、該読み出した太陽の位置を示す情報と、前記読み出された日射量を示す情報とに基づいて、前記太陽光発電装置の構成を算出する構成算出部と、を備えることを特徴とすることを特徴とする。
【０００９】
（３）（２）に記載の太陽光発電装置構成抽出装置において、前記構成算出部は、前記構成を変更する毎に、前記太陽の位置を示す情報と前記読み出された日射量を示す情報とに基づいて、前記太陽光発電装置の発電量を算出する発電量算出部と、前記算出された発電量が所定の閾値を超える構成を抽出する構成抽出部と、を備えることを特徴とする。
【００１０】
（４）（３）に記載の太陽光発電装置構成抽出装置において、前記構成を示す情報と前記太陽光発電装置の発電量を変化させる係数を示す情報とが関連付けられて記憶されている構成記憶部を備え、前記発電量算出部は、前記構成を変更する毎に、前記構成を示す情報に関連付けられた前記係数を示す情報を前記構成記憶部から読み出し、該読み出した係数を示す情報と、前記太陽の位置を示す情報と、前記日射量を示す情報とに基づいて、前記太陽光発電装置の発電量を算出することを特徴とする。
【００１１】
（５）（４）に記載の太陽光発電装置構成抽出装置において、前記構成記憶部に記憶されている前記構成を示す情報の一つは、前記太陽光発電装置が備える形状集光板と蛍光集光板の積層順を示す情報であり、前記発電量算出部は、前記積層順を変更する毎に、前記積層順を示す情報に関連付けられた前記係数を示す情報を前記構成記憶部から読み出し、該読み出した係数を示す情報と、前記太陽の位置を示す情報と、前記日射量を示す情報とに基づいて、前記太陽光発電装置の発電量を算出することを特徴とする。
【００１２】
（６）（４）または（５）に記載の太陽光発電装置構成抽出装置において、前記構成記憶部に記憶されている前記構成を示す情報の一つは、前記太陽光発電装置が備える形状集光板の形状を示す情報であり、前記発電量算出部は、前記形状集光板の形状を変更する毎に、前記形状集光板の形状を示す情報に関連付けられた前記係数を示す情報を前記構成記憶部から読み出し、該読み出した係数を示す情報と、前記太陽の位置を示す情報と、前記日射量を示す情報とに基づいて、前記太陽光発電装置の発電量を算出することを特徴する。
【００１３】
（７）（４）から（６）のいずれかに記載の太陽光発電装置構成抽出装置において、前記構成記憶部に記憶されている前記構成を示す情報の一つは、前記太陽光発電装置の地面に対する設置仰角を示す情報であり、前記発電量算出部は、前記設置仰角を変更する毎に、前記設置仰角を示す情報に関連付けられた前記係数を示す情報を前記構成記憶部から読み出し、該読み出した係数を示す情報と、前記太陽の位置を示す情報と、前記日射量を示す情報とに基づいて、前記太陽光発電装置の発電量を算出することを特徴とする。
【００１４】
（８）（４）から（７）のいずれかに記載の太陽光発電装置構成抽出装置において、前記構成記憶部に記憶されている前記構成を示す情報の一つは、前記太陽電池の種類を示す情報であり、
前記発電量算出部は、前記太陽電池の種類を変更する毎に、前記太陽電池の種類を示す情報に関連付けられた前記係数を示す情報を前記構成記憶部から読み出し、該読み出した係数を示す情報と、前記太陽の位置を示す情報と、前記日射量を示す情報とに基づいて、前記太陽光発電装置の発電量を算出することを特徴とする。
【００１５】
（９）（４）から（８）のいずれか１項に記載の太陽光発電装置構成抽出装置において、前記構成記憶部に記憶されている前記構成を示す情報の一つは、前記形状集光板または前記蛍光集光板の法線が太陽の方向になるように太陽発電装置の向きを変更する太陽追尾の有無を示す情報であり、前記発電量算出部は、前記太陽追尾の有無を変更する毎に、前記太陽追尾の有無を示す情報に関連付けられた前記係数を示す情報を前記構成記憶部から読み出し、該読み出した係数を示す情報と、前記太陽の位置を示す情報と、前記日射量を示す情報とに基づいて、前記太陽光発電装置の発電量を算出することを特徴とする。
【００１６】
（１０）（４）から（９）のいずれか１項に記載の太陽光発電装置構成抽出装置において、設置条件を示す情報と該設置条件を識別する設置条件識別情報とが関連付けられて記憶されている設置条件記憶部と、前記入力された設置条件を示す情報を基準として所定の要件を満たす設置条件に関連付けられた設置条件識別情報を前記設置条件記憶部から抽出する設置条件抽出部と、前記設置条件識別情報と前記太陽光発電装置の構成を示す情報とが関連付けられて記憶されている第２の構成記憶部と、前記設置条件抽出部により設置条件識別情報が抽出された場合、前記抽出された設置条件識別情報に対応する前記太陽光発電装置の構成を示す情報を前記第２の構成記憶部から読み出す構成読出部と、を備えることを特徴とする。
【００１７】
（１１）（１０）に記載の太陽光発電装置構成抽出装置において、前記構成決定部は、前記設置条件抽出部により設置条件識別情報が抽出されなかった場合、前記入力された設置条件を示す情報に基づいて、前記太陽光発電装置の構成を決定することを特徴とする。
【００１８】
（１２）（１）から（１１）のいずれかに記載の太陽光発電装置構成抽出装置において、前記太陽光発電装置の構成を示す情報と該構成時の価格を示す情報とが関連付けられて記憶されている価格記憶部と、前記構成決定部により決定された前記太陽光発電装置の構成に対応する価格を示す情報を前記価格記憶部から読み出す価格読出部と、を備えることを特徴とする。
【００１９】
（１３）（１）に記載の太陽光発電装置構成抽出装置において、前記構成決定部は、太陽光発電装置の設置条件を示す情報と太陽光発電装置の構成を示す情報とが関連付けられて記憶されている構成記憶部と、前記入力された設置条件を示す情報を基準として所定の要件を満たす前記設置条件の情報に関連付けられた太陽光発電装置の構成を示す情報を前記構成記憶部から読み出す構成読出部と、を更に備えることを特徴とする。
【００２０】
（１４）（１３）に記載の太陽光発電装置構成抽出装置において、前記構成記憶部には更に発電効率を示す情報が太陽光発電装置の構成を示す情報と関連付けられており、前記構成読出部は、前記読み出される太陽光発電装置の構成を示す情報に対応する発電効率を示す情報を前記構成記憶部から読み出すことを特徴とする。
【００２１】
（１５）（１３）または（１４）に記載の太陽光発電装置構成抽出装置において、前記構成記憶部には更に太陽光発電装置の構成を示す情報と該構成をとるときの価格を示す情報が関連付けられており、前記構成読出部は、前記読み出される太陽光発電装置の構成を示す情報に対応する価格を示す情報を前記構成記憶部から読み出すことを特徴とする。
【００２２】
（１６）（１３）から（１６）のいずれかに記載の太陽光発電装置構成抽出装置において、前記構成記憶部は、自装置の外部から入力された設置条件の情報と、太陽光発電装置の構成を示す情報、発電変換効率を示す情報または価格を示す情報のうち少なくとも１つとが追加保存されていくことを特徴とする。
【００２３】
（１７）本発明の一態様である太陽光発電装置構成抽出方法は、自装置の外部から入力された太陽光発電装置の設置条件を示す情報に基づいて、該太陽光発電装置の構成を決定する構成決定手順を有することを特徴とする。
【００２４】
（１８）本発明の一態様である太陽光発電装置構成抽出プログラムは、コンピュータに、自装置の外部から入力された太陽光発電装置の設置条件を示す情報に基づいて、該太陽光発電装置の構成を決定する構成決定ステップを実行させるための太陽光発電装置構成抽出プログラムである。
【００２５】
（１９）本発明の一態様である太陽光発電装置構成判断システムは、端末装置と太陽光発電装置構成抽出装置とを備え、前記太陽光発電装置構成抽出装置は、前記端末装置から入力された太陽光発電装置の設置条件を示す情報に基づいて、該太陽光発電装置の構成を決定する構成決定部を備えることを特徴とする。
【００２６】
（２０）（１９）に記載の太陽光発電装置構成判断システムは、前記端末装置と前記太陽光発電構成抽出装置は通信網を介して接続されていることを特徴とする。
【００２７】
（２１）（１９）または（２０）に記載の太陽光発電装置構成判断システムは、前記構成決定部は、設置条件を示す情報と該設置条件を識別する設置条件識別情報とが関連付けられて記憶されている設置条件記憶部と、前記入力された設置条件を示す情報を基準として所定の要件を満たす設置条件に関連付けられた設置条件識別情報を前記設置条件記憶部から抽出する設置条件抽出部と、前記設置条件識別情報と前記太陽光発電装置の構成を示す情報とが関連付けられて記憶されている第２の構成記憶部と、前記設置条件抽出部により設置条件識別情報が抽出された場合、前記抽出された設置条件識別情報に対応する前記太陽光発電装置の構成を示す情報を前記第２の構成記憶部から読み出す構成読出部と、を備えることを特徴とする。
【００２８】
（２２）（１９）または（２０）に記載の太陽光発電装置構成判断システムは、前記構成決定部は、太陽光発電装置の設置条件を示す情報と太陽光発電装置の構成を示す情報とが関連付けられて記憶されている構成記憶部を備え、前記構成決定部による構成の決定は、前記入力された太陽光発電装置の設置条件を示す情報に対応する最適な構成を示す情報を前記構成記憶部から読み出すことにより行われることを特徴とする。
【発明の効果】
【００２９】
本発明によれば、太陽光発電装置の設置場所に応じた太陽光発電装置の構成を短時間で、簡単に提供することができる。
【図面の簡単な説明】
【００３０】
【図１】第１の実施形態における太陽光発電装置構成判断システムの構成を示す概略ブロック図である。
【図２】第１の実施形態における端末装置の構成を示す概略ブロック図である。
【図３】第１の実施形態における太陽光発電装置構成抽出装置の構成を示す概略ブロック図である。
【図４】日射量記憶部に記憶されているテーブルＴ１の一例である。
【図５】場所識別情報Ｐｉｄが「０００００００１」の場合の日時毎の日射量のテーブルＴ２＿０００００００１の一例である。
【図６】場所ｉｄが「０００００００１」の場合において、直達光による日射量の時間変化のある月の平均と、散乱光による日射量の時間変化のその同じ月の平均とが示された図である。
【図７】太陽光発電装置の断面図の一例である。
【図８】蛍光集光板を上から見た図である。
【図９】太陽の方角α＿１と太陽光発電装置の方角β＿１とを説明するための図である。
【図１０】地面に対する太陽の入射角α＿２と地面に対して太陽光発電装置を設置する角度である設置仰角β＿２とを説明するための図である。
【図１１】太陽位置記憶部に記憶されている太陽の位置を示す情報が記憶されたテーブルＴ３の一例である。
【図１２】構成記憶部に記憶されている形状集光板の形状に依存する係数ｒ２のテーブルＴ４の一例である。
【図１３】構成記憶部に記憶されている光電変換効率ｒ５のテーブルＴ５の一例である。
【図１４】価格記憶部に記憶されている太陽光発電装置の構成を示す情報Ｃｐと該構成をとるときの価格を示す情報Ｐが関連付けられたテーブルＴ６の一例である。
【図１５】第１の実施形態における太陽光発電装置構成抽出装置の処理の流れを示したフローチャートである。
【図１６】第２の実施形態における太陽光発電装置構成判断システムの構成を示す概略ブロック図である。
【図１７】第２の実施形態における端末装置の構成を示す概略ブロック図である。
【図１８】第２の実施形態における太陽光発電装置構成抽出装置の構成を示す概略ブロック図である。
【図１９】第３の実施形態における太陽光発電装置構成判断システムの構成を示す概略ブロック図である。
【図２０】第３の実施形態における太陽光発電装置構成抽出装置の構成を示す概略ブロック図である。
【図２１】設置条件記憶部に記憶されている設置条件を示す情報と該設置条件を識別する設置条件識別情報とが関連付けられたテーブルＴ７の一例である。
【図２２】構成記憶部に記憶されている設置条件識別情報Ｃｉｄと太陽光発電装置の構成を示す情報Ｃｐとが関連付けられたテーブルＴ８の一例である。
【図２３】第３の実施形態における太陽光発電装置構成抽出装置の処理の流れを示したフローチャートである。
【図２４】第４の実施形態における太陽光発電装置構成判断システムの構成を示す概略ブロック図である。
【図２５】第４の実施形態における太陽光発電装置構成抽出装置の構成を示す概略ブロック図である。
【図２６】第３の構成記憶部に記憶されているテーブルＴ９の一例である。
【図２７】第３の構成記憶部に記憶されている構成識別情報Ｋｉｄと構成を示す情報Ｃｐが関連付けられたテーブルＴ１０の一例である。
【発明を実施するための形態】
【００３１】
＜第１の実施形態＞
以下、本発明の実施形態について、図面を参照して詳細に説明する。図１は、第１の実施形態における太陽光発電装置構成判断システム１の構成を示す概略ブロック図である。太陽光発電装置構成判断システム１は、端末装置１０と、太陽光発電装置構成抽出装置１００とを有する。本実施形態では、太陽光発電装置は、一例として蛍光集光板と形状集光板とを備えたタンデムの集光型太陽光発電装置を対象として説明するが、これに限ったものではない。端末装置１０と太陽光発電装置構成抽出装置１００とは有線または無線の回線により接続されている。
【００３２】
端末装置１０は、端末装置のユーザによって入力される下記の太陽光発電装置を設置する際の設置条件を示す情報を受け付ける。設置条件とは、例えば、太陽光発電装置を設置する場所を示す情報（ここでは、例えば、経度ｘを示す情報、緯度ｙを示す情報）と、太陽光発電装置のパネルの向きを太陽が出ている方角に追尾する機能（太陽追尾機能）の有無Ｆｔを示す情報と、太陽追尾機能が無い場合の太陽光発電装置の方角β＿１を示す情報（ここでは、方角β＿１は、真西を基準としたときに、太陽光発電装置が備える蛍光集光板または形状集光板が東西を結ぶ直線と成す角度である）とが入力される。
なお、設置場所における周囲環境によって生じる影を設置条件に加えても良い。
【００３３】
端末装置１０は、受け付けた太陽光発電装置を設置する際の設置条件を示す情報（経度ｘを示す情報と、緯度ｙを示す情報と、太陽追尾機能の有無Ｆｔを示す情報と、方角β＿１を示す情報）とを太陽光発電装置構成抽出部１００に出力する。
太陽光発電装置構成抽出装置１００は、端末装置１０から供給された太陽光発電装置を設置する際の設置条件を示す情報に基づいて、当該太陽光発電装置の構成とその構成の価格とを抽出し、抽出した太陽光発電装置の構成を示す情報とその構成の価格を示す情報とを自装置の外部、例えば製造業者の情報処理装置に出力する。なお、太陽光発電装置構成抽出装置１００は、抽出した太陽光発電装置の構成を示す情報とその構成の価格を示す情報とをユーザの端末装置１０に出力してもよい。
【００３４】
これにより、太陽光発電装置構成抽出装置１００は、太陽光発電装置の設置条件に応じて、太陽光発電装置の構成を抽出することができる。その結果、太陽光発電装置構成抽出装置１００は、短時間で簡単に太陽光発電装置の設置場所に応じた最適な太陽光発電装置の構成を製造業者に提供することができる。
【００３５】
図２は、第１の実施形態における端末装置１０の構成を示す概略ブロック図である。端末装置１０は、記憶部１１と、制御部１２と、表示部１３と、入力部１４と、通信部１５とを備える。
記憶部１１には、制御部１２が実行する設置条件を入力するための設置条件入力プログラムが記憶されている。制御部１２は記憶部１１から設置条件入力プログラムを読み出し、読み出した設置条件入力プログラムを実行し、設置条件を入力するための画面を表示部１３に表示させる。
【００３６】
設置条件を入力するための画面が表示部１３に表示された後に、入力部１４は設置条件を示す情報（例えば、経度ｘを示す情報と、緯度ｙを示す情報と、太陽追尾機能の有無Ｆｔを示す情報と、方角β＿１を示す情報）の入力を受け付ける。入力部１４は、受け付けた設置条件を示す情報を制御部１２に出力する。制御部１２は、入力部１４から供給された設置条件を示す情報を記憶部１１に記憶させる。
【００３７】
また、制御部１２は、通信部１５を介して、設置条件を示す情報（例えば、経度ｘを示す情報と、緯度ｙを示す情報と、太陽追尾機能の有無Ｆｔを示す情報と、方角β＿１を示す情報）を太陽光発電装置構成抽出装置１００に送信するよう制御する。
通信部１５は、制御部１２から供給された設置条件を示す情報（例えば、経度ｘを示す情報と、緯度ｙを示す情報と、太陽追尾機能の有無Ｆｔを示す情報と、方角β＿１を示す情報）を太陽光発電装置構成抽出装置１００に送信する。
【００３８】
図３は、第１の実施形態における太陽光発電装置構成抽出装置１００の構成を示す概略ブロック図である。太陽光発電装置構成抽出装置１００は、構成決定部１１０と、価格記憶部１２１と、価格読出部１２２とを備える。
構成決定部１１０は、自装置の外部から入力された太陽光発電装置の設置条件を示す情報に基づいて、当該太陽光発電装置の構成を決定する。ここで、構成決定部１１０は、日射量記憶部１１１と、日射量読出部１１２と、太陽位置記憶部１１３と、構成記憶部１１４と、構成算出部１１５と、を備える。また、構成算出部１１５は、発電量算出部１１６と、構成抽出部１１７とを備える。
【００３９】
日射量記憶部１１１には、場所を示す情報と該場所における日射量を示す情報とが関連付けられて記憶されている。図４は、日射量記憶部１１１に記憶されているテーブルＴ１の一例である。同図のテーブルＴ１には、場所に固有の識別情報である場所識別情報Ｐｉｄと、緯度ｙと、経度ｘとが関連付けられている。例えば、場所識別情報Ｐｉｄが「０００００００１」の場合、東京の場所を示す識別情報であり、緯度ｙは３５度４０分であり、経度ｘは１３９度４２分である。
【００４０】
日射量記憶部１１１には、月（Ｍｏｎｔｈ）を示す情報と、時間（Ｈｏｕｒ）を示す情報と、月毎に平均された直達光による時間毎の日射量を示す情報と、月毎に平均された散乱光による時間毎の日射量を示す情報とが関連付けられて記憶されており、これらの情報が場所識別情報Ｐｉｄ毎に別テーブルＴ２＿ｉ（ｉは１からＰｉｄの個数までの整数）に格納されている。ここで、直達光とは、太陽から直接太陽光発電装置に到達する光である。散乱光は、雲などにより散乱された光が太陽光発電装置に到達した光である。
【００４１】
図５は、場所識別情報Ｐｉｄが「０００００００１」の場合の日時毎の日射量のテーブルＴ２＿０００００００１の一例である。同図のテーブルＴ２＿０００００００１において、月（Ｍｏｎｔｈ）と、時間（Ｈｏｕｒ）と、月毎に平均された直達光の時間毎の日射量と、月毎に平均された散乱光による時間毎の日射量とが関連付けられている。
例えば、１月の１時の場合、月毎に平均された直達光による１時の日射量は０［Ｗ／ｍ２］で、月毎に平均された散乱光による１時の日射量は０［Ｗ／ｍ２］である。また、例えば、１月の１２時の場合、月毎に平均された直達光による１２時の日射量は９４３［Ｗ／ｍ２］で、月毎に平均された散乱光による１２時の日射量は６０［Ｗ／ｍ２］である。
【００４２】
図６は、場所ｉｄが「０００００００１」の場合において、直達光による日射量の時間変化のある月の平均と、散乱光による日射量の時間変化のその同じ月の平均とが示された図である。同図において、ある月において平均された直達光の時間変化を示す折れ線Ｗ５１と、その同じ月において平均された散乱光の時間変化を示す折れ線Ｗ５２とが示されている。同図に示されているように、直達光による日射量と散乱光による日射量とは、共に、７時から１８時までの日中に日射量があることが示されている。また、直達光による日射量は、７時から１２時に掛けて上昇し、１２時から１８時に掛けて減少する。一方、散乱光による日射量は、７時から１８時までほぼ一定であることが示されている。また、７時から１８時までの日中において、直達光による日射量は散乱光による日射量より多いことが示されている。
【００４３】
図３に戻って、日射量読出部１１２は、入力された設置条件を示す情報の一つである場所を示す情報（経度ｘを示す情報と緯度ｙを示す情報）に基づき、設置場所から所定の距離範囲内にある地点の日射量を示す情報を日射量記憶部１１１から読み出す。
具体的には、例えば、日射量読出部１１２は、日射量記憶部１１１に記憶されているテーブルＴ１において経度ｘと緯度ｙに最も近い経度および緯度を抽出し、抽出した経度および緯度に関連付けられている場所識別情報Ｐｉｄを参照する。
【００４４】
そして、日射量読出部１１２は、日射量記憶部１１１に記憶されている場所識別情報Ｐｉｄ毎のテーブルＴ２＿Ｐｉｄを参照し、各月、各時間において、月毎に平均された直達光による時間毎の日射量ＩＤを示す情報と、月毎に平均された散乱光による時間毎の日射量ＩＳを示す情報とを読み出す。
【００４５】
そして、日射量読出部１１２は、読み出した月毎に平均された直達光による時間毎の日射量ＩＤを示す情報と、月毎に平均された散乱光による時間毎の日射量ＩＳを示す情報とを、経度ｘを示す情報と、緯度ｙを示す情報と、太陽追尾機能の有無Ｆｔを示す情報と、方角β＿１を示す情報とともに構成算出部１１５の発電量算出部１１６に出力する。
【００４６】
ここで、太陽光発電装置６０の一例について図７を用いて説明する。図７は、太陽光発電装置６０の断面図の一例である。同図において、太陽光発電装置６０の断面図がＹＺ平面上に示されている。太陽光発電装置６０は、蛍光集光板６１と、反射板６２と、第１の太陽電池６３と、形状集光板６５と、第２の太陽電池６６と、反射板６７と、を備える。太陽光発電装置６０は、一例として反射板６７、形状集光板６５、蛍光集光板６１の順に積層されている。
【００４７】
同図の太陽光発電装置６０では、蛍光集光板６１が形状集光板６５よりも太陽Ｓ６８に近い方に設置されている。ここで、蛍光集光板６１が形状集光板６５よりも太陽Ｓ６８に近い方であるということは、形状集光板６５、蛍光集光板６１の積層順であることを意味する。蛍光集光板６１と形状集光板６５のうちどちらを太陽Ｓ６８に近い方にするかは設置場所に依存し、構成算出部１１５により年間の総発電量が多い方に決定される。
【００４８】
太陽Ｓ６８から照射された光Ｌ１が蛍光集光板６１の第１主面６１ａに入射される。蛍光集光板６１の内部には、互いに吸収波長域の異なる複数種類の蛍光体（図７では例えば第１蛍光体６１ｂ、第２蛍光体６１ｇ及び第３蛍光体６１ｒ）が分散されている。第１蛍光体６１ｂは、紫外光を吸収して青色の蛍光を放射し、第２蛍光体６１ｇは、青色光を吸収して緑色の蛍光を放射し、第３蛍光体６１ｒは、緑色光を吸収して赤色の蛍光を放射する。
【００４９】
第１蛍光体６１ｂ、第２蛍光体６１ｇ及び第３蛍光体６１ｒは、例えば、ＰＭＭＡ樹脂を成型する際に混入される。第１蛍光体６１ｂ、第２蛍光体６１ｇ及び第３蛍光体６１ｒの混合比率は例えば、第１蛍光体６１ｂが０．０２％、第２蛍光体６１ｇが０．０２％、第３蛍光体６１ｒが０．０２％である。ここで、第１蛍光体６１ｂ、第２蛍光体６１ｇ及び第３蛍光体６１ｒの混合比率はＰＭＭＡ樹脂に対する体積比率で示している。
【００５０】
図８は、蛍光集光板６１を上から見た図である。図７の反射板６２は、図８の反射板６２ａと反射板６２ｂと、反射板６２ｃとに相当する。蛍光集光板６１は３つの端面を反射板６２ａと反射板６２ｂと反射板６２ｃとに覆われており、残る１つの端面である第１の端面６２ｄが第１の太陽電池６３に覆われている。反射板６２ａと反射板６２ｂと反射板６２ｃは、蛍光集光板６１の内部の蛍光体から放射された蛍光を反射し、反射した蛍光Ｌ２を集光方向Ｄ７４に導く。その結果、反射した蛍光Ｌ２は図７の第１の端面６２ｄに導かれ、第１の端面６２ｃに導かれた蛍光は、第１の太陽電池６３に入射される。
【００５１】
図７に戻って、第１の太陽電池６３は、入射された蛍光を第１の太陽電池６３の種類に依存した変換効率Ｒで電気に変換する。
蛍光集光板６１は入射された光Ｌ１のうち光Ｌ３を透過させ、光Ｌ３を形状集光板６５の第１主面６５ａに入射させる。
【００５２】
形状集光板６５の第２主面６５ｂには、第１主面６５ａから入射した光を反射させて光の進行方向を第１端面６５ｃに向かう方向に変更する複数の溝Ｔ６５が設けられている。
図７の下側には、形状集光板６５の第２主面６５ｂに設けられたプリズム形状が拡大されている。形状集光板６５の第２主面６５ｂに設けられる溝Ｔ６５の断面図である。
【００５３】
溝Ｔ６５は、Ｙ軸に対して角度θ＿１（例えば、９０度）をなす傾斜面Ｔ１と、Ｙ軸に対して角度θ＿２（例えば、３０度）をなす傾斜面Ｔ２と、が稜線Ｔ３において交差するＶ字状の溝である。稜線Ｔ３を挟んで第１端面６５ｃ側に傾斜面Ｔ２が配置され、第１端面６５ｃとは反対側に傾斜面Ｔ１が配置されている。
【００５４】
例えば、１本の溝ＴのＹ方向の幅であるプリズムの長さは１００μｍであり、プリズム間隔ｓは２０μｍであり、形状集光板６５の屈折率は１．５である。なお、角度θ＿１、角度θ＿２、プリズムの長さｌ、プリズム間隔ｓ、及び形状集光板６５の屈折率はこれに限定するものではない。
【００５５】
反射板６７は、形状集光板６５の第２主面６５ｂを透過した光を反射し、反射した光を形状集光板６５の第２の主面６５ｂに入射させる。これにより、反射板６７は、形状集光板６５の第２主面６５ｂから外部に洩れ出る光を反射することができる。形状集光板６５の溝Ｔ６５は、第２の主面６５ｂから入射された光を第１の端面６５ｃに導く。これにより反射板６７により反射された光も太陽光発電に利用される。
第１の端面６５ｃに導かれた光Ｌ４は、第２の太陽電池６６に入射される。
第２の太陽電池６６は、入射された光Ｌ４を第２の太陽電池６６の種類に依存した変換効率Ｒで電気に変換する。
【００５６】
続いて、太陽の方角α＿１と太陽光発電装置６０の方角β＿１について図９を用いて説明する。図９は、太陽の方角α＿１と太陽光発電装置６０の方角β＿１とを説明するための図である。同図において、太陽光発電装置６０の中心を原点とするｘｙ座標系において、Ｅが東、Ｗが西、Ｓが南、Ｎが北を示している。同図において、真西を０度とすると、太陽Ｓ６８の方角α＿１は、太陽Ｓ６８から太陽光発電装置６０までの直線と、ｘ軸が成す角度である。同様に、太陽光発電装置６０の方角β＿１は、太陽光発電装置６０の形状集光板６１の第１主面６１ａとｘ軸が成す角度である。
【００５７】
図１０は、地面に対する太陽の入射角α＿２と地面に対して太陽光発電装置６０を設置する角度である設置仰角β＿２とを説明するための図である。同図において、ｘｚ座標系において太陽光発電装置６０と家８１と地面８２との断面図が示されている。
ここで、設置仰角β＿２は、太陽光発電装置６０が備える蛍光集光板６１の第１主面６１ａが地面８２に対して成す角度である。太陽光Ｌ１の入射角α＿２は地面８２に対する太陽光Ｌ１の角度である。ここで角度φは、入射角α＿２と設置仰角β＿２の和で表される。
【００５８】
図３に戻って、太陽位置記憶部１１３には、太陽の位置を示す情報が、場所を示す情報と日時を示す情報とに関連付けられて記憶されている。具体的には、例えば、太陽位置記憶部１１３には、緯度ｘを示す情報と、経度ｙを示す情報と、月ＭＭを示す情報と、時ＨＨを示す情報と、太陽の方角α＿１を示す情報と、太陽の仰角α＿２を示す情報とが関連付けられている。
【００５９】
図１１は、太陽位置記憶部１１３に記憶されている太陽の位置を示す情報が記憶されたテーブルＴ３の一例である。同図のテーブルＴ３において、緯度ｘと、経度ｙと、月ＭＭと、時ＨＨと、太陽の方角α＿１と、太陽の仰角α＿２とが関連付けられている。例えば、東京に相当する緯度３５度４０分で経度１３９度４２分の場合、１月の１２時の場合、太陽の方角９０度で太陽の仰角３５度であることが示されている。
【００６０】
図３に戻って、発電量算出部１１６は、日射量読出部１１２から供給された経度ｘを示す情報と、緯度ｙを示す情報とに関連付けられた各月ＭＭ、各時ＨＨの太陽位置記憶部１１３から太陽の方角α＿１を示す情報と、太陽の入射角α＿２を示す情報とを読み出す。
【００６１】
構成記憶部１１４には、構成を示す情報と太陽光発電装置の発電量を変化させる係数（ｒ１、ｒ２、ｒ５、ｒ６）を示す情報とが関連付けられて記憶されている。具体的には、蛍光集光板と形状集光板との積層順を示す情報Ｆｕｄ毎に、積層順に依存する係数ｒ１を示す情報と、積層順に依存する係数ｒ６を示す情報とが構成記憶部１１４に記憶されている。
ここで、例えば、積層順を示す情報Ｆｕｄは１または０であり、１の場合、形状集光板６５、蛍光集光板６１の順に積層され、０の場合、蛍光集光板６１、形状集光板６５の順に積層されているものとする。
【００６２】
また、構成記憶部１１４には、太陽光発電装置の設置場所と形状集光板６５の下面プリズム形状とに依存する係数ｒ２を示す情報が形状集光板６５の形状を示す情報と関連付けられて記憶されている。具体的には、例えば、予め決められた距離（例えば、緯度１度の長さまたは経度１度の長さ）毎に、形状集光板６５の下面プリズム形状毎に既存の光線ソフトウェアによって算出された係数ｒ２が構成記憶部１１４に記憶されている。
なお、本実施形態では、係数ｒ２が形状集光板６５の形状を示す情報に関係付けられているとしたが、これに限ったものではなく、その代わりに係数ｒ２が太陽光発電装置の形状に関係付けられていてもよい。
【００６３】
図１２は、構成記憶部１１４に記憶されている形状集光板６５の下面プリズム形状に依存する係数ｒ２のテーブルＴ４の一例である。
同図のテーブルＴ４において、緯度ｙと、経度ｘと、角度θ＿１と、角度θ＿２と、プリズム長さｌと、プリズム間隔ｓと、係数ｒ２とが関連付けられている。例えば、緯度ｙが３５度４０分で、経度１３９度４２分で、角度θ＿１が９０度で、角度θ＿２が３０度で、プリズム長さｌが１００μｍで、プリズム間隔ｓが２０μｍの場合、係数ｒ２が０．９である。すなわち、太陽光発電装置の設置場所と形状集光板６５の下面プリズム形状が定まると、係数ｒ２が一意に定まる。
【００６４】
また、構成記憶部１１４には、光電変換効率ｒ５を示す情報が太陽電池の種類を示す情報と関連付けられて記憶されている。図１３は、構成記憶部１１４に記憶されている光電変換効率ｒ５のテーブルＴ５の一例である。同図のテーブルＴ５において、太陽電池を識別する太陽電池識別情報ＳＢｉｄと、太陽電池の種類と、光電変換効率ｒ５とが関連付けられている。例えば、太陽電池識別情報ＳＢｉｄが１、太陽電池の種類がアモルファスＳｉ（シリコン）、光電変換効率ｒ５が１０％である。
【００６５】
図３に戻って、構成算出部１１５は、設置場所における各日時における太陽の位置を示す情報を太陽位置記憶部１１３から読み出し、該読み出した太陽の位置を示す情報と、読み出された日射量を示す情報とに基づいて、太陽光発電装置の構成を算出する。
【００６６】
具体的には、構成算出部１１５が備える発電量算出部１１６は、太陽光発電装置の構成を変更する毎に、太陽の位置を示す情報と読み出された日射量を示す情報とに基づいて、太陽光発電装置の発電量を算出する。そして、構成算出部１１５が備える発電量算出部１１７は、算出した太陽光発電装置の発電量のうち、もっとも発電量が高い太陽光発電装置の構成を抽出する。
太陽光発電装置の発電量の算出の処理の概要としては、発電量算出部１１６が、構成を変更する毎に、構成を示す情報に関連付けられた係数を示す情報を構成記憶部１１４から読み出し、該読み出した係数を示す情報と、太陽の位置を示す情報と、日射量を示す情報とに基づいて、太陽光発電装置の発電量を算出する。
【００６７】
以下、発電量算出部１１６の具体的な発電量の算出処理について説明する。発電量算出部１１６は、積層順を示す情報Ｆｕｄを変更する毎に、その積層順を示す情報Ｆｕｄに関連付けられた係数ｒ１（Ｆｕｄ）と係数ｒ６（Ｆｕｄ）と構成記憶部１１４から読み出す。
発電量算出部１１６は、角度θ＿１と角度θ＿２とプリズム長さｌとプリズム間隔ｓを変更する毎に、それらの情報と日射量読出部１１２から入力された経度ｘを示す情報と緯度ｙを示す情報とに関連付けられた係数ｒ２（ｘ，ｙ，θ＿１，θ＿２，ｌ，ｓ）を示す情報を構成記憶部１１４のテーブルＴ４から読み出す。
【００６８】
また、構成記憶部１１４に記憶されているテーブルＴ４において、日射量読出部１１２から入力された情報が示す経度ｘと緯度ｙとの組み合わせが記憶されていない場合、発電量算出部１１６は、設置場所に最も近い経度ｘと緯度ｙとを構成記憶部１１４のテーブルＴ４から抽出する。そして、発電量算出部１１６は、角度θ＿１と角度θ＿２とプリズム長さｌとプリズム間隔ｓを変更する毎に、それらの情報と抽出した経度ｘと緯度ｙとに関連付けられた係数ｒ２を示す情報を読み出す。
これにより、発電量算出部１１６は、太陽光発電装置の設置場所と形状集光板６５の下面プリズム形状とから、係数ｒ２を得ることができる。
【００６９】
なお、発電量算出部１１６は、日射量読出部１１２から入力された情報が示す経度ｘと緯度ｙとに応じて、毎回、係数ｒ２を算出してもよい。その場合、発電量算出部１１６は、予め構成記憶部１１４に記憶されている光線ソフトウェアを読み出し、その光線ソフトウェアに、日射量読出部１１２から入力された情報が示す経度ｘ及び緯度ｙ、角度θ＿１、角度θ＿２、プリズム長さｌ、プリズム間隔ｓそれぞれを示す情報を入力して実行することにより、係数ｒ２を算出してもよい。
【００７０】
また、発電量算出部１１６は、太陽光発電装置６０の方角β＿１を変更する毎に、方角β＿１に依存して発電量を変更する係数ｒ３（Ｆｔ，ｘ，ｙ，ｉ，ｊ，β＿１）を以下の式（１）に従って、算出する。
【００７１】
【数１】
2014160687.tif 000003
【００７２】
ここで、太陽追尾機能の有無Ｆｔは１のとき追尾機能があり、係数ｒ３は１である。太陽追尾機能の有無Ｆｔは０のとき追尾機能がないことを示している。係数ｒ３は、太陽の照射光Ｌ１のうち第１主面６１ａに垂直に入射する光の成分を表し、太陽の照射角度α＿１と太陽光発電装置６０の方角β＿１とに依存して決まる値である。
【００７３】
また、発電量算出部１１６は、太陽光発電装置６０の設置仰角β＿２を変更する毎に、設置仰角β＿２に依存して発電量を変更する係数ｒ４（ｘ，ｙ，ｉ，ｊ，β＿２）を以下の式（２）に従って、算出する。
【００７４】
【数２】
2014160687.tif 000004
【００７５】
ここで、角度φは、図１０の角度φを示している。係数ｒ４は、太陽の照射光Ｌ１のうち、第１主面６１ａに垂直に入射する光の成分を表し、太陽の入射角α＿２と太陽光発電装置を設置する設置仰角β＿２とに依存して決まる値である。
また、発電量算出部１１６は、太陽電池の種類を変更する毎に、太陽電池の種類に依存して発電量を変更する係数ｒ５を構成記憶部１１４から読み出す。
【００７６】
発電量算出部１１６は、以下の式（３）に従って、太陽光発電装置の構成を変更する毎に、直達光による年間の発電量ＰＤを算出する。
【００７７】
【数３】
2014160687.tif 000005
【００７８】
ここで、ｉは月を示すインデックスであり（ｉは１から１２までの整数）、ｊは時（Ｈｏｕｒ）を示すインデックスであり（ｊは１から２４までの整数）、ＮＤＡＹ（ｉ）は月ｉ毎の日数である。
発電量算出部１１６は、以下の式（４）に従って、太陽光発電装置の構成を変更する毎に、散乱光による年間の発電量ＰＳを算出する。
【００７９】
【数４】
2014160687.tif 000006
【００８０】
そして、構成記憶部１１４は、太陽光発電装置の構成を変更する毎に算出された直達光による年間の発電量ＰＤと散乱光による年間の発電量ＰＳとを用いて、発電量ＰＤと発電量ＰＳの和である年間の総発電量ＰＴ（＝ＰＤ＋ＰＳ）を算出する。
構成記憶部１１４は、全ての構成の組み合わせで、年間の総発電量ＰＴを算出し、算出した構成の組み合わせ毎の年間の総発電量ＰＴを示す情報を構成抽出部１１７に出力する。
【００８１】
以下、発電量算出部１１６の処理についてまとめると、構成記憶部１１４に記憶されている前記構成を示す情報の一つは、太陽光発電装置が備える形状集光板と蛍光集光板の積層順を示す情報であり、発電量算出部１１６は、設置順を変更する毎に、積層順を示す情報に関連付けられた前記係数を示す情報を構成記憶部１１４から読み出し、該読み出した係数を示す情報と、太陽の位置を示す情報と、日射量を示す情報とに基づいて、太陽光発電装置の発電量を算出する。
【００８２】
構成記憶部１１４に記憶されている構成を示す情報の一つは、太陽光発電装置が備える形状集光板の形状を示す情報であり、
発電量算出部１１６は、形状集光板の形状を変更する毎に、形状集光板の形状を示す情報に関連付けられた係数を示す情報を構成記憶部１１４から読み出し、該読み出した係数を示す情報と、太陽の位置を示す情報と、日射量を示す情報とに基づいて、太陽光発電装置の発電量を算出する。
【００８３】
構成記憶部１１４に記憶されている構成を示す情報の一つは、太陽光発電装置の地面に対する仰角を示す情報であり、
発電量算出部１１６は、設置仰角を変更する毎に、設置仰角を示す情報に関連付けられた係数を示す情報を構成記憶部１１４から読み出し、該読み出した係数を示す情報と、前記太陽の位置を示す情報と、日射量を示す情報とに基づいて、太陽光発電装置の発電量を算出する。
【００８４】
構成記憶部１１４に記憶されている前記構成を示す情報の一つは、太陽電池の種類を示す情報であり、発電量算出部１１６は、太陽電池の種類を変更する毎に、太陽電池の種類を示す情報に関連付けられた係数を示す情報を構成記憶部１１４から読み出し、該読み出した係数を示す情報と、前記太陽の位置を示す情報と、前記日射量を示す情報とに基づいて、前記太陽光発電装置の発電量を算出する。
【００８５】
構成記憶部１１４に記憶されている構成を示す情報の一つは、形状集光板または蛍光集光板の法線が太陽の方向になるように太陽発電装置の向きを変更する太陽追尾の有無を示す情報であり、発電量算出部は、太陽追尾の有無を変更する毎に、太陽追尾の有無を示す情報に関連付けられた係数を示す情報を構成記憶部１１４から読み出し、該読み出した係数を示す情報と、太陽の位置を示す情報と、日射量を示す情報とに基づいて、太陽光発電装置の発電量を算出する。
【００８６】
構成抽出部１１７は、構成記憶部１１４から供給された年間の総発電量ＰＴが最も高くなる太陽光発電装置の構成を抽出し、抽出した太陽光発電装置の構成を示す情報Ｃｐを価格読出部１２２に出力する。
なお、構成抽出部１１７は、年間の総発電量ＰＴが所定の閾値を超える構成を抽出してもよい。
【００８７】
価格記憶部１２１には、太陽光発電装置の構成を示す情報Ｃｐと該構成をとるときの価格を示す情報Ｐが関連付けられて記憶されている。図１４は、価格記憶部１２１に記憶されている太陽光発電装置の構成を示す情報Ｃｐと該構成を取るときの価格を示す情報Ｐが関連付けられたテーブルＴ６の一例である。
同図のテーブルＴ６において、積層順と、太陽追尾機能の有無と、太陽電池の種類と、価格とが関連付けられている。例えば、テーブルＴ６の３行目の例では、積層順が１（すなわち、積層順が反射板６７、形状集光板６５、蛍光集光板６１の順）で、太陽追尾機能が０（すなわち、太陽追尾機能無し）で、太陽電池の種類がアモルファスＳｉの場合、価格が１００,０００円である。
【００８８】
図３に戻って、価格読出部１２２は構成抽出部１１７から供給された太陽光発電装置の構成を示す情報Ｃｐに関連付けられた価格を示す情報Ｐを価格記憶部１２１から読み出す。そして、価格読出部１２２は太陽光発電装置の構成を示す情報Ｃｐと価格を示す情報Ｐを自装置の外部に出力する。
【００８９】
図１５は、第１の実施形態における太陽光発電装置構成抽出装置の処理の流れを示したフローチャートである。まず、日射量読出部１１２は、設置条件の入力を受け付ける（ステップＳ１０１）。次に、日射量読出部１１２は、入力された設置条件に対応する日射量を読み出す（ステップＳ１０２）。次に、発電量算出部１１６は、年間の直達光による発電量ＰＤを算出する（ステップＳ１０３）。次に、発電量算出部１１６は、年間の散乱光による発電量ＰＳを算出する（ステップＳ１０４）。
【００９０】
次に、発電量算出部１１６は、年間の総発電量ＰＴを算出する（ステップＳ１０５）。次に、発電量算出部１１６は、全ての太陽光発電装置の構成で年間の総発電量ＰＴを算出したか否か判定する（ステップＳ１０６）。全ての太陽光発電装置の構成で年間の総発電量ＰＴを算出していない場合（ステップＳ１０６  ＮＯ）、発電量算出部１１６は構成を変更してステップＳ１０３の処理に戻る（ステップＳ１０７）。
【００９１】
全ての太陽光発電装置の構成で年間の総発電量ＰＴを算出した場合（ステップＳ１０６  ＹＥＳ）、構成抽出部１１７は、年間の全発電量ＰＴが最大となる構成を抽出する（ステップＳ１０８）。次に、価格読出部１２２は、構成に対応する価格を示す情報を読み出す。以上で、本フローチャートの処理を終了する。
【００９２】
以上、第１の実施形態における太陽光発電装置構成抽出装置１００は、太陽光発電装置の構成を変更する毎に、構成を示す情報に関連付けられた係数を示す情報を構成記憶部１１４から読み出し、該読み出した係数を示す情報と、太陽の位置を示す情報と、日射量を示す情報とに基づいて、太陽光発電装置の発電量を算出する。太陽光発電装置構成抽出装置１００は、全ての構成で太陽光発電装置の発電量を算出した場合、発電量が最も多くなる構成を抽出する。
【００９３】
これにより、太陽光発電装置構成抽出装置１００は、太陽光発電装置の設置条件下で、発電量が最も多くなる太陽光発電装置の構成を抽出することができる。その結果、太陽光発電装置構成抽出装置１００は、短時間で簡単に設置場所に応じた最適な太陽光発電装置の構成を端末装置１０のユーザに提供することができる。
【００９４】
また、太陽光発電装置構成抽出装置１００は、抽出した太陽光発電装置の構成を示す情報を自装置の外部に出力する。これにより、太陽光発電装置の構成を示す情報を受け取った太陽光発電装置の製造業者は、その構成を示す情報に基づいて、太陽光発電装置を製造することができる。
【００９５】
また、太陽光発電装置構成抽出装置１００は、抽出した太陽光発電装置の構成時の価格を示す情報を自装置の外部に出力する。これにより、太陽光発電装置の構成時の価格を示す情報を受け取った太陽光発電装置の出荷業者または設置業者は、その価格で太陽光発電装置を出荷または設置することができる。
【００９６】
なお、本実施形態の太陽光発電装置構成抽出装置１００は、月毎に平均された時間ごとの直達光の日射量と、月毎に平均された時間ごとの散乱光の日射量とを用いたがこれに限ったものではない。太陽光発電装置構成抽出装置１００は、過去に観測された毎日の時間ごとの直達光の日射量と、過去に観測された毎日の時間ごとの散乱光の日射量とを用いてもよい。また、太陽光発電装置構成抽出装置１００は、過去所定の年数分平均された毎日の時間ごとの直達光の日射量と、過去所定の年数分平均された毎日の時間ごとの散乱光の日射量とを用いてよい。
【００９７】
＜第２の実施形態＞
図１６は、第２の実施形態における太陽光発電装置構成判断システム２の構成を示す概略ブロック図である。なお、図１の第１の実施形態における太陽光発電装置構成判断システム１と共通する要素には同一の符号を付し、その具体的な説明を省略する。図１６の太陽光発電装置構成判断システム２の構成は、図１の太陽光発電装置構成判断システム１の構成に対して、通信網２０が追加され、端末装置１０が端末装置１０ｂに変更され、太陽光発電装置構成抽出装置１００が、太陽光発電装置構成抽出装置１００ｂに変更されたものとなっている。通信網２０は、例えば、地球規模で広く相互接続されているネットワークである。
【００９８】
まず、太陽光発電装置構成判断システム２の概要について説明する。端末装置１０ｂは、設置条件を示す情報（例えば、経度ｘを示す情報、緯度ｙを示す情報と、太陽追尾機能の有無Ｆｔを示す情報と、太陽追尾機能が無い場合の太陽光発電装置の方角β＿１を示す情報）を通信網２０を介して太陽光発電装置構成抽出装置１００ｂに出力する。
【００９９】
太陽光発電装置構成抽出装置１００ｂは、通信網２０を介して、入力された設置条件を示す情報に基づいて、太陽光発電装置の構成を示す情報Ｃｐと、その構成時の価格を示す情報Ｐとを抽出する。太陽光発電装置構成抽出装置１００ｂは、抽出した太陽光発電装置の構成を示す情報Ｃｐと、その構成時の価格を示す情報Ｐとを通信網２０を介して、端末装置１０ｂに出力する。
【０１００】
端末装置１０ｂは、供給された太陽光発電装置の構成を示す情報Ｃｐと、その構成時の価格を示す情報Ｐとを表示し、発注を指示する情報を受け取った場合、発注に関する情報ｏ（例えば、設置場所）を太陽光発電装置の構成を示す情報Ｃｐと、その構成時の価格を示す情報Ｐとともに自装置の外部、例えば、製造業者の情報処理装置に出力する。
【０１０１】
図１７は、第２の実施形態における端末装置１０ｂの構成を示す概略ブロック図である。なお、図２の第１の実施形態における端末装置１０ｂと共通する要素には同一の符号を付し、その具体的な説明を省略する。図１７の端末装置１０ｂの構成は、図２の端末装置１０の構成に対して、制御部１２が制御部１２ｂに変更され、通信部１５が、通信部１５ｂに変更されたものとなっている。
【０１０２】
制御部１２ｂは、通信部１５ｂに、通信網２０を介して、設置条件を示す情報（例えば、経度ｘを示す情報、緯度ｙを示す情報と、太陽追尾機能の有無Ｆｔを示す情報と、太陽追尾機能が無い場合の太陽光発電装置の方角β＿１を示す情報）を太陽光発電装置構成抽出装置１００ｂに出力するよう制御する。
通信部１５ｂは、設置条件を示す情報（例えば、経度ｘを示す情報、緯度ｙを示す情報と、太陽追尾機能の有無Ｆｔを示す情報と、太陽追尾機能が無い場合の太陽光発電装置の方角β＿１を示す情報）を通信網２０を介して、太陽光発電装置構成抽出装置１００ｂ（図１６）に出力する
【０１０３】
通信部１５ｂは、太陽光発電装置構成抽出装置１００ｂ（図１６）から通信網２０を介して供給された太陽光発電装置の構成を示す情報Ｃｐと、その構成時の価格を示す情報Ｐとを受信し、制御部１２ｂに出力する。
制御部１２ｂは、太陽光発電装置の構成を示す情報Ｃｐと、その構成時の価格を示す情報Ｐと表示部１４に表示させる。これにより、端末装置１０ｂのユーザは、太陽光発電装置に構成とその構成時の価格を確認することができる。
【０１０４】
表示部１３により太陽光発電装置の構成を示す情報Ｃｐと、その構成時の価格を示す情報Ｐが表示された後に、入力部１４は、ユーザの入力する発注を指示する情報の入力を受け付ける。
入力部１４は、発注を指示する情報を受けた場合、その発注を指示する情報を制御部１２ｂに出力する。
【０１０５】
制御部１２ｂは、発注に関する情報ｏ（例えば、設置場所）を太陽光発電装置の構成を示す情報Ｃｐと、その構成時の価格を示す情報Ｐとともに製造業者の情報処理装置に出力する。これにより、発注情報ｏと太陽光発電装置の構成を示す情報Ｃｐを受け取った製造業者がその構成に基づいて、太陽光発電装置を製造することができる。
また、発注情報ｏとその構成時の価格を示す情報Ｐとに基づいて、納品業者または設置業者が太陽光発電装置を設置または納品することができる。
【０１０６】
図１８は、第２の実施形態における太陽光発電装置構成抽出装置１００ｂの構成を示す概略ブロック図である。なお、図３の第１の実施形態における太陽光発電装置構成抽出装置１００と共通する要素には同一の符号を付し、その具体的な説明を省略する。図１８の太陽光発電装置構成抽出装置１００ｂの構成は、図３の太陽光発電装置構成抽出装置１００の構成に対して、通信部１２３が追加されたものとなっている。
【０１０７】
通信部１２３は、端末装置１０ｂから通信網２０を介して供給された設置条件を示す情報（例えば、経度ｘを示す情報、緯度ｙを示す情報と、太陽追尾機能の有無Ｆｔを示す情報と、太陽追尾機能が無い場合の太陽光発電装置の方角β＿１を示す情報）を受信する。
通信部１２３は、当該設置条件を示す情報（例えば、経度ｘを示す情報、緯度ｙを示す情報と、太陽追尾機能の有無Ｆｔを示す情報と、太陽追尾機能が無い場合の太陽光発電装置の方角β＿１を示す情報）を日射量読出部１１２に出力する。
【０１０８】
通信部１２３は、価格読出部１２２から供給された太陽光発電装置の構成を示す情報Ｃｐと、その構成時の価格を示す情報Ｐを通信網２０を介して、端末装置１０ｂに出力する。
そして、太陽光発電装置構成抽出装置１００ｂは、抽出した太陽光発電装置の構成を示す情報Ｃｐと、その構成時の価格を示す情報Ｐとを通信網２０を介して端末装置１０ｂに送信する。
【０１０９】
以上、第２の実施形態における太陽光発電装置構成抽出装置１００ｂは、端末装置１０ｂから通信網２０を介して入力された設置条件を示す情報に基づいて、太陽光発電装置の構成を示す情報Ｃｐと、その構成時の価格を示す情報Ｐとを抽出する。そして、太陽光発電装置構成抽出装置１００ｂは、抽出した太陽光発電装置の構成を示す情報Ｃｐと、その構成時の価格を示す情報Ｐとを通信網２０を介して端末装置１０ｂに送信する。
【０１１０】
これにより、太陽光発電装置構成抽出装置１００ｂは、離れた距離に存在する端末装置１０ｂから入力された太陽光発電装置の設置条件に応じて、その設置条件下で発電量が最も多くなる太陽光発電装置の構成を抽出することができる。その結果、太陽光発電装置構成抽出装置１００ｂは、短時間で簡単に設置場所に応じた最適な太陽光発電装置の構成を端末装置１０ｂのユーザに提供することができる。
【０１１１】
＜第３の実施形態＞
図１９は、第３の実施形態における太陽光発電装置構成判断システム３の構成を示す概略ブロック図である。なお、図１の第１の実施形態における太陽光発電装置構成判断システム３と共通する要素には同一の符号を付し、その具体的な説明を省略する。図１９の太陽光発電装置構成判断システム３の構成は、図１の太陽光発電装置構成判断システム１の構成に対して、太陽光発電装置構成抽出装置１００が、太陽光発電装置構成抽出装置１００ｃに変更されたものとなっている。
【０１１２】
図２０は、第３の実施形態における太陽光発電装置構成抽出装置１００ｃの構成を示す概略ブロック図である。なお、図３の第１の実施形態における太陽光発電装置構成抽出装置１００と共通する要素には同一の符号を付し、その具体的な説明を省略する。
【０１１３】
太陽光発電装置構成抽出装置１００ｃは、構成決定部１１０ｃと、設置条件記憶部１３１と、設置条件抽出部１３２と、第２の構成記憶部１１４と、構成読出部１３５と、価格記憶部１２１と、価格読出部１２２ｃとを備える。
設置条件記憶部１３１には、設置条件を示す情報と該設置条件を識別する設置条件識別情報とが関連付けられて記憶されている。
【０１１４】
図２１は、設置条件記憶部１３１に記憶されている設置条件を示す情報と該設置条件を識別する設置条件識別情報とが関連付けられたテーブルＴ７の一例である。同図のテーブルＴ７には、設置条件識別情報Ｃｉｄと、緯度ｙと、経度ｘと、太陽追尾機能の有無Ｆｔと、太陽光発電装置６０の方角β＿１とが関連付けられている。例えば、設置条件識別情報Ｃｉｄが１の場合、緯度ｙは３５度４０分で、経度ｘは１３９度４２分で、太陽追尾機能の有無Ｆｔが１で有りを意味し、太陽光発電装置の方角β＿１は１３５度である。
【０１１５】
図２０に戻って、設置条件抽出部１３２は、端末装置１０から入力された設置条件を示す情報を基準として所定の要件を満たす設置条件に関連付けられた設置条件識別情報を抽出する。
具体的には、例えば、設置条件抽出部１３２は、端末装置１０から供給された設置条件を示す情報のうち設置場所の経度ｘを示す情報と緯度ｙを示す情報を用いて、設置場所から所定の距離（例えば、半径２０ｋｍ）範囲内の地点の情報が設置条件記憶部１３１に有るか否か判定する。
【０１１６】
設置場所から所定の距離範囲内の地点の情報がない場合、設置条件抽出部１３２は、設置条件を示す情報（例えば、経度ｘを示す情報、緯度ｙを示す情報と、太陽追尾機能の有無Ｆｔを示す情報と、太陽追尾機能が無い場合の太陽光発電装置の方角β＿１を示す情報）を構成決定部１１０に供給する。
【０１１７】
一方、設置場所から所定の距離範囲内の地点の情報がある場合、設置条件抽出部１３２は、入力された太陽追尾機能の有無Ｆｔを示す情報が０の場合（すなわち、太陽追尾機能がない場合）には、設置場所から所定の距離（例えば、半径２０ｋｍ）範囲内の地点の情報のうち、太陽追尾機能の有無を示す情報が０で、太陽光発電装置の方角β＿１が最も近い設置条件を示す情報を設置条件記憶部１３１において参照する。
【０１１８】
一方、設置条件抽出部１３２は、入力された太陽追尾機能の有無Ｆｔを示す情報が１の場合（すなわち、太陽追尾機能がある場合）には、太陽追尾機能の有無を示す情報が１で、設置場所から所定の距離（例えば、半径２０ｋｍ）範囲内の地点の情報のうち、設置場所から最も近い距離ある設置条件を示す情報を設置条件記憶部１３１において参照する。
【０１１９】
設置条件抽出部１３２は、参照した設置条件を示す情報に関連付けられた設置条件識別情報Ｃｉｄを読み出し、読み出した設置条件識別情報Ｃｉｄを構成読出部１３５に出力する。
【０１２０】
なお、設置条件抽出部１３２は、最も近い設置条件を参照したが、これに限らず、設定条件が近い複数の設置条件を設置条件記憶部１３１において参照し、参照した複数の設置条件それぞれに関連付けられた設置条件識別情報Ｃｉｄを読み出してもよい。
【０１２１】
第２の構成記憶部１１４には、設置条件識別情報Ｃｉｄと太陽光発電装置の構成を示す情報Ｃｐとが関連付けられて記憶されている。図２２は、第２の構成記憶部１１４に記憶されている設置条件識別情報Ｃｉｄと太陽光発電装置の構成を示す情報Ｃｐとが関連付けられたテーブルＴ８の一例である。
【０１２２】
同図にテーブルＴ８において、設置条件識別情報Ｃｉｄと、積層順Ｆｕｄと、角度θ＿１と、角度θ＿２と、プリズム長さｌと、プリズム間隔ｓと、太陽追尾機能の有無Ｆｔと、設置仰角β＿２と、太陽電池の種類とが関連付けられて記憶されている。例えば、設置条件識別情報Ｃｉｄが１の場合、積層順Ｆｕｄが１、すなわち積層順が形状集光板６５、蛍光集光板６１の順で、角度θ＿１が９０度で、角度θ＿２が３０度で、プリズム長さｌが１００μｍで、プリズム間隔ｓが２０μｍで、太陽追尾機能の有無Ｆｔが１で有りを意味し、設置仰角β＿２が２０度で、太陽電池の種類がアモルファスＳｉである。
【０１２３】
図２０に戻って、構成読出部１３５は、設置条件抽出部１３２から供給された設置条件識別情報Ｃｉｄに関連付けられた構成を示す情報Ｃｐを第２の構成記憶部１１４から読み出す。構成読出部１３５は、読み出した構成を示す情報Ｃｐを価格読出部１２２ｃに供給する。
【０１２４】
構成決定部１１０ｃは、設置条件抽出部１３２から供給された設置条件を示す情報（例えば、経度ｘを示す情報、緯度ｙを示す情報と、太陽追尾機能の有無Ｆｔを示す情報と、太陽追尾機能が無い場合の太陽光発電装置の方角β＿１を示す情報）に基づいて、構成を示す情報を決定する。本実施形態の構成決定部１１０ｃの構成は、第１の実施形態における構成決定部１１０の構成と同一であり、構成決定部１１０ｃが太陽光発電装置の構成を決定する処理は、第１の実施形態における構成決定部１１０が太陽光発電装置の構成を決定する処理と同一であるので、その説明を省略する。構成決定部１１０ｃは、決定した構成を示す情報を価格読出部１２２ｃに出力する。
【０１２５】
構成決定部１１０ｃは、新たに設置条件識別情報Ｃｉｄを生成し、生成した設置条件識別情報Ｃｉｄと、経度ｘを示す情報、緯度ｙを示す情報と、太陽追尾機能の有無Ｆｔを示す情報と、太陽追尾機能が無い場合の太陽光発電装置の方角β＿１を示す情報とを関連付けて設置条件記憶部１３１に追記させる。
構成決定部１１０ｃは、生成した設置条件識別情報Ｃｉｄと、決定した構成を示す情報Ｃｐとを関連付けて第２の構成記憶部１１４に追記させる。
【０１２６】
価格読出部１２２ｃは、構成決定部１１０ｃまたは構成読出部１３５から供給された構成を示す情報Ｃｐに関連付けられた価格を示す情報Ｐを価格記憶部１２１から読み出し、読み出した価格を示す情報Ｐを自装置の外部、例えば製造業者の情報処理装置に出力する。
【０１２７】
図２３は、第３の実施形態における太陽光発電装置構成抽出装置１００ｃの処理の流れを示したフローチャートである。まず、設置条件抽出部１３２は、端末装置１０から供給された設置条件を示す情報を受信する（ステップＳ３０１）。
次に、設置条件抽出部１３２は、設置条件を示す情報に含まれる設置場所から半径２０ｋｍ圏内の設置条件を示す情報が設置条件記憶部１３１に存在するか否か判定する（ステップＳ３０２）。
【０１２８】
半径２０ｋｍ圏内の設置条件を示す情報が設置条件記憶部１３１に存在する場合（ステップＳ３０２  ＹＥＳ）、設置条件抽出部１３２は、受信した設置条件を示す情報に含まれる太陽追尾機能の有無Ｆｔが１か否か、すなわち受信した設置条件では太陽追尾機能を使用するか否か判定する（ステップＳ３０３）。
太陽追尾機能の有無Ｆｔが１の場合、設置条件記憶部１３１は受信した設置条件と最も近い距離にある設置条件に関連付けられた設置条件識別情報Ｃｉｄを設置条件記憶部１３１から読み出し（ステップＳ３０４）、ステップＳ３０６の処理に進む。
【０１２９】
一方、太陽追尾機能の有無Ｆｔが０の場合、設置条件記憶部１３１は受信した設置条件に含まれる太陽光発電装置の方角β＿１と最も近い設置条件に関連付けられた設置条件識別情報Ｃｉｄを読み出し（ステップＳ３０５）、ステップＳ３０６の処理に進む。
次に、構成読出部１３５は、設置条件識別情報Ｃｉｄに関連付けられた構成を示す情報を第２の構成記憶部１１４から読み出し（ステップＳ３０６）、ステップＳ３１０の処理に進む。
【０１３０】
ステップＳ３０２において、半径２０ｋｍ圏内の設置条件を示す情報が設置条件記憶部１３１に存在しない場合（ステップＳ３０２  ＮＯ）、構成決定部１１０ｃは、年間の総発電量が最大となる構成を示す情報を抽出する（ステップＳ３０７）。
次に、構成決定部１１０ｃは、設置条件を示す情報を設置条件記憶部１３１に追記する（ステップＳ３０８）。次に、構成決定部１１０ｃは、構成を示す情報を第２の構成記憶部１１４に追記する（ステップＳ３０９）。
【０１３１】
次に、価格読出部１２２ｃは、価格記憶部１２１から構成を示す情報に関連付けられた価格を示す情報を読み出す（ステップＳ３１０）。以上で、本フローチャートの処理を終了する。
【０１３２】
以上、第３の実施形態における太陽光発電装置構成抽出装置１００ｃは、入力された設置場所から所定の距離範囲内にある地点の設置条件を示す情報が、予め設置条件記憶部１３１に記憶されている場合、その設置条件を識別する設置条件識別情報を設置条件記憶部１３１から読み出す。そして、太陽光発電装置構成抽出装置１００ｃは、読み出した設置条件識別情報に関連付けられた構成を示す情報Ｃｐを第２の構成記憶部１１４から読み出す。
【０１３３】
これにより、太陽光発電装置構成抽出装置１００ｃは、構成決定部１１０ｃで構成を決定するよりも短時間で構成を示す情報を抽出することができる。その結果、太陽光発電装置構成抽出装置１００ｃは、短時間で簡単に太陽光発電装置の設置場所に応じた太陽光発電装置の構成を端末装置１０のユーザに提供することができる。
【０１３４】
また、太陽光発電装置構成抽出装置１００ｃは、入力された設置場所から所定の距離範囲内にある地点の設置条件を示す情報が、予め設置条件記憶部１３１に記憶されていない場合、構成決定部１１０ｃが構成を決定し、決定した構成を示す情報を第２の構成記憶部１１４追記する。また、構成決定部１１０ｃは、その際の設置条件を示す情報を設置条件記憶部１３１に追記する。
【０１３５】
これにより、太陽光発電装置構成抽出装置１００ｃは、設置条件記憶部１３１と第２の構成記憶部１１４とには、新たなデータが追加されていく。それゆえ、データが追加されていくに従って、次に設置条件が入力された場合に、設置条件抽出部１３２は、その設置条件と近い条件のデータを抽出できる可能性が高くなる。これにより、太陽光発電装置構成抽出装置１００ｃは、構成決定部１１０ｃよりも構成読出部１３５を使って構成を示す情報を抽出する割合が高まる。その結果、太陽光発電装置の設置場所に応じた太陽光発電装置の構成を短時間で提供する可能性を高めることができる。
【０１３６】
＜第４の実施形態＞
図２４は、第４の実施形態における太陽光発電装置構成判断システム４の構成を示す概略ブロック図である。なお、図１６の第２の実施形態における太陽光発電装置構成判断システム２と共通する通信網２０には同一の符号を付し、その具体的な説明を省略する。図２４の太陽光発電装置構成判断システム４の構成は、図１６の太陽光発電装置構成判断システム２の構成に対して、端末装置１０ｂが端末装置１０ｄに変更され、太陽光発電装置構成抽出装置１００ｂが、太陽光発電装置構成抽出装置１００ｄに変更されたものとなっている。
【０１３７】
端末装置１０ｄは、設置条件を示す情報（例えば、経度ｘを示す情報、緯度ｙを示す情報と、太陽追尾機能の有無Ｆｔを示す情報と、太陽追尾機能が無い場合の太陽光発電装置の方角β＿１を示す情報）を、通信網２０を介して太陽光発電装置構成抽出装置１００ｄに出力する。端末装置１０ｄの構成は、端末装置１０ｂの構成と同一でであるので、その説明を省略する。
【０１３８】
太陽光発電装置構成抽出装置１００ｄは、端末装置１０ｄから供給された設置条件を示す情報に基づいて、構成を示す情報Ｃｐと、発電効率を示す情報Ｒと、その構成時の価格を示す情報Ｐとを、通信網２０を介して端末装置１０ｄに送信する。
【０１３９】
図２５は、第４の実施形態における太陽光発電装置構成抽出装置１００ｄの構成を示す概略ブロック図である。太陽光発電装置構成抽出装置１００ｄは、通信部１２３と、構成決定部１１０ｄとを備える。ここで、構成決定部１１０ｄは、構成読出部１４２と第３の構成記憶部（構成記憶部）１４１とを備える。
【０１４０】
通信部１２３は、通信網２０を介して供給された設置条件を示す情報（例えば、経度ｘを示す情報、緯度ｙを示す情報と、太陽追尾機能の有無Ｆｔを示す情報と、太陽追尾機能が無い場合の太陽光発電装置の方角β＿１を示す情報）を構成読出部１４２に出力する。
また、通信部１２３は、構成読出部１４２から供給された構成を示す情報Ｃｐと、発電効率を示す情報Ｒと、その構成時の価格を示す情報Ｐとを、通信網２０を介して端末装置１０ｄ（図２４）に出力する。
【０１４１】
第３の構成記憶部１４１には、設置条件を示す情報と、構成を示す情報Ｃｐと、発電効率を示す情報Ｒと、価格を示す情報Ｐとが前もって格納され、かつ、それらが関連付けられて記憶されている。また、第３の構成記憶部１４１は、自装置の外部から供給された設置条件を示す情報と構成を示す情報Ｃｐと、発電効率を示す情報Ｒと、価格を示す情報Ｐとを関連付けて蓄積していく。
【０１４２】
図２６は、第３の構成記憶部１４１に記憶されているテーブルＴ９の一例である。同図のテーブルＴ９において、緯度ｙと、経度ｘと、太陽追尾機能の有無Ｆｔと、構成を識別する構成識別情報Ｋｉｄと、発電効率Ｒと、価格と、が関連付けられている。例えば、テーブルＴ９の１行目の例では、緯度ｙが３５度４０分で、経度ｘが１３９度４２分で、太陽追尾機能が無しで、構成識別情報Ｋｉｄが１で、発電効率Ｒが５％で、価格が１０万円である。
【０１４３】
ここで、構成識別情報Ｋｉｄには、構成を示す情報Ｃｐが関連付けられている。図２７は、第３の構成記憶部１４１に記憶されている構成識別情報Ｋｉｄと構成を示す情報Ｃｐが関連付けられたテーブルＴ１０の一例である。同図のテーブルＴ１０において、構成識別情報Ｋｉｄと、積層順Ｆｕｄと、角度θ＿１と、角度θ＿２と、プリズム長さｌと、プリズム間隔ｓと、設置仰角β＿２と、太陽電池の種類とが関連付けられている。例えば、構成識別情報Ｋｉｄが１の場合、積層順Ｆｕｄは１（形状集光板６５、蛍光集光板６１の順）で、角度θ＿１は９０度で、角度θ＿２は３０度で、プリズム長さｌが１００μｍで、プリズム間隔ｓが２０μｍで、設置仰角β＿２が２０度で、太陽電池の種類がアモルファスＳｉである。
【０１４４】
図２５に戻って、構成読出部１４２は、設置条件を示す情報と関連付けられた構成を示す情報Ｃｐと、発電効率を示す情報Ｒと、価格を示す情報Ｐと読み出す。そして、構成読出部１４２は、読み出した構成を示す情報Ｃｐと、発電効率を示す情報Ｒと、価格を示す情報Ｐと通信部１２３に出力する。
【０１４５】
以上、本実施形態の太陽光発電装置構成抽出装置１００ｄは、自装置の外部から入力された設置条件を示す情報に関連付けられた構成を示す情報Ｃｐと、発電効率を示す情報Ｒと、価格を示す情報Ｐと読み出す。そして、太陽光発電装置構成抽出装置１００ｄは、読み出したこれらの情報を、通信網２０を介して端末装置１０ｄに出力する。
【０１４６】
これにより、太陽光発電装置構成抽出装置１００ｄは、最適な構成がデータベース化されているため、最適な構成を計算することなく、迅速に最適な構成を示す情報を端末装置１０ｄに供給することができる。その結果、太陽光発電装置構成抽出装置１００ｄは、短時間で太陽光発電装置の設置場所に応じた太陽光発電装置の構成を提供することができる。
【０１４７】
また、本実施形態の太陽光発電装置構成抽出装置（１００、１００ｂ、１００ｃ、１００ｄ）の各処理を実行するためのプログラムをコンピュータ読み取り可能な記録媒体に記録して、当該記録媒体に記録されたプログラムをコンピュータシステムに読み込ませ、実行することにより、太陽光発電装置構成抽出装置（１００、１００ｂ、１００ｃ、１００ｄ）に係る上述した種々の処理を行ってもよい。
【０１４８】
なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１４９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１５０】
以上、本発明の実施形態について図面を参照して詳述したが、具体的な構成はこの実施形態に限られるものではなく、この発明の要旨を逸脱しない範囲の設計等も含まれる。
【符号の説明】
【０１５１】
１、２、３、４  太陽光発電装置構成判断システム
１０、１０ｂ、１０ｄ  端末装置
２０  通信網
１００、１００ｂ、１００ｃ、１００ｄ  太陽光発電装置構成抽出装置
１１０、１１０ｃ、１１０ｄ  構成決定部
１１１  日射量記憶部
１１２  日射量読出部
１１３  太陽位置記憶部
１１４  構成記憶部
１１５  構成算出部
１１６  発電量算出部
１１７  構成抽出部
１２１  価格記憶部
１２２、１２２ｃ  価格読出部
１２３  通信部
１３１  設置条件記憶部
１３２  設置条件抽出部
１３４  第２の構成記憶部
１３５、１４２  構成読出部
１４１  第３の構成記憶部（構成記憶部）
【図１】
2014160687.tif 000007
【図２】
2014160687.tif 000008
【図３】
2014160687.tif 000009
【図４】
2014160687.tif 000010
【図５】
2014160687.tif 000011
【図６】
2014160687.tif 000012
【図７】
2014160687.tif 000013
【図８】
2014160687.tif 000014
【図９】
2014160687.tif 000015
【図１０】
2014160687.tif 000016
【図１１】
2014160687.tif 000017
【図１２】
2014160687.tif 000018
【図１３】
2014160687.tif 000019
【図１４】
2014160687.tif 000020
【図１５】
2014160687.tif 000021
【図１６】
2014160687.tif 000022
【図１７】
2014160687.tif 000023
【図１８】
2014160687.tif 000024
【図１９】
2014160687.tif 000025
【図２０】
2014160687.tif 000026
【図２１】
2014160687.tif 000027
【図２２】
2014160687.tif 000028
【図２３】
2014160687.tif 000029
【図２４】
2014160687.tif 000030
【図２５】
2014160687.tif 000031
【図２６】
2014160687.tif 000032
【図２７】
2014160687.tif 000033